【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク内で通信する方法であって、
変調された超音波信号と無線対応電磁信号の両方を介して信号交換をサポートするデバイスにより、前記デバイスに関する識別情報を含む第1の変調された超音波信号を送信するステップと、
前記デバイスにより、前記第1の変調された超音波信号に応答して1つまたは複数の他のデバイスから1つまたは複数の第2の変調された超音波信号を受信するステップであって、前記1つまたは複数の第2の変調された超音波信号の各々は、前記1つまたは複数の他のデバイスの各々に関する識別情報を含む、ステップと、
前記デバイスにより、前記1つまたは複数の第2の変調された超音波信号に少なくとも部分的に基づいて前記1つまたは複数の他のデバイスのうち1つを選択するステップと、
前記1つまたは複数の他のデバイスのうち選択されたデバイスとの接続を確立するための無線対応ピアツーピアプロトコルの電磁信号を利用して、前記1つまたは複数の他のデバイスのうち選択されたデバイスで登録プロセスを実施するステップであって、前記登録プロセスは、前記1つまたは複数の他のデバイスのうち選択されたデバイスに関する識別情報に少なくとも部分的に基づく、ステップと、
を含む方法。
【請求項２】
前記1つまたは複数の第2の変調された超音波信号に少なくとも部分的に基づいて前記１つまたは複数の他のデバイスのうちの1つの位置を決定するステップ
をさらに含む請求項1に記載の方法。
【請求項３】
前記１つまたは複数の他のデバイスのうちの1つを選択するステップが、前記決定された位置に少なくとも部分的に基づく、請求項2に記載の方法。
【請求項４】
前記1つまたは複数の他のデバイスのうち前記選択されたデバイスで前記登録プロセスを実施するステップは、第3の変調された超音波信号に少なくとも部分的に基づく、請求項1に記載の方法。
【請求項５】
前記第3の変調された超音波信号を介して個人識別番号(PIN)コードを交換するステップ
をさらに含む請求項4に記載の方法。
【請求項６】
送信機を1つまたは複数のデバイスに向けるステップ
をさらに含む請求項1に記載の方法。
【請求項７】
前記送信するステップは、音波信号と超音波信号の送信をサポートする広帯域スピーカを介して前記第1の変調された超音波信号を送信するステップを含む、請求項1に記載の方法。
【請求項８】
前記受信するステップは、音波信号と超音波信号の受信をサポートする広帯域マイクロフォンを介して前記1つまたは複数の第2の変調された超音波信号を受信するステップを含む、請求項1に記載の方法。
【請求項９】
前記送信するステップは、専用の超音波変換器を介して前記第1の変調された超音波信号を送信するステップを含む、請求項1に記載の方法。
【請求項１０】
前記受信するステップは、専用の超音波変換器を介して前記1つまたは複数の第2の変調された超音波信号を受信するステップを含む、請求項1に記載の方法。
【請求項１１】
前記無線対応ピアツーピアプロトコルの電磁信号を利用して、前記1つまたは複数の他のデバイスのうち選択されたデバイスで前記登録プロセスを実施するステップは、前記1つまたは複数の他のデバイスのうち選択されたデバイスで前記デバイスを認証するかまたは前記選択されたデバイスと前記デバイスを関連付けるために、前記デバイスに関する識別情報、前記1つまたは複数の他のデバイスのうち選択されたデバイスに関する識別情報、または前記デバイスにより送信された追加の識別情報を、第3の変調された超音波信号を介して交換するステップを含む、請求項1に記載の方法。
【請求項１２】
前記1つまたは複数の他のデバイスのうち選択されたデバイスとの接続のための証明書を確立するために前記無線対応ピアツーピアプロトコルのハンドシェイク動作を実施するステップであって、前記ハンドシェイク動作は、前記第3の変調された超音波信号を介して前記デバイスにより送信された、前記デバイスに関する前記識別情報、前記1つまたは複数の他のデバイスのうち選択されたデバイスに関する前記識別情報、または前記デバイスにより送信された追加の識別情報に少なくとも部分的に基づく、請求項1に記載の方法。
【請求項１３】
ワイヤレス通信ネットワーク内で通信するためのデバイスであって、
前記デバイスに関する識別情報を含む第1の変調された超音波信号を送信するための手段と、
前記第1の変調された超音波信号に応答して1つまたは複数の他のデバイスから1つまたは複数の第2の変調された超音波信号を受信するための手段であって、前記1つまたは複数の第2の変調された超音波信号の各々は、前記1つまたは複数の他のデバイスの各々に関する識別情報を含む、手段と、
前記1つまたは複数の第2の変調された超音波信号に少なくとも部分的に基づいて前記1つまたは複数の他のデバイスのうち1つを選択するための手段と、
前記1つまたは複数の他のデバイスのうち選択されたデバイスとの接続を確立するための無線対応ピアツーピアプロトコルの電磁信号を利用して、前記1つまたは複数の他のデバイスのうち選択されたデバイスで登録プロセスを実施するための手段であって、前記登録プロセスは、前記1つまたは複数の他のデバイスのうち選択されたデバイスに関する識別情報に少なくとも部分的に基づく、手段と、
を含むデバイス。
【請求項１４】
前記1つまたは複数の第2の変調された超音波信号に少なくとも部分的に基づいて前記１つまたは複数の他のデバイスのうちの1つの位置を決定するための手段
をさらに含む請求項13に記載のデバイス。
【請求項１５】
前記１つまたは複数の他のデバイスのうちの1つを選択するための手段が、前記決定された位置に少なくとも部分的に基づいて動作可能である、請求項14に記載のデバイス。
【請求項１６】
前記1つまたは複数の他のデバイスのうち前記選択されたデバイスで前記登録プロセスを実施するための手段は、第3の変調された超音波信号に少なくとも部分的に基づいて動作可能である、請求項13に記載のデバイス。
【請求項１７】
前記第3の変調された超音波信号を介して個人識別番号(PIN)コードを交換するための手段をさらに含む、請求項16に記載のデバイス。
【請求項１８】
前記送信するための手段を1つまたは複数のデバイスに向けるための手段
をさらに含む請求項13に記載のデバイス。
【請求項１９】
前記送信するための手段は、音波信号と超音波信号の送信をサポートする広帯域スピーカを含む、請求項13に記載のデバイス。
【請求項２０】
前記受信するための手段は、音波信号と超音波信号の受信をサポートする広帯域マイクロフォンを含む、請求項13に記載のデバイス。
【請求項２１】
前記送信するための手段および前記受信するための手段のうち一方または両方は専用の超音波変換器を含む、請求項13に記載のデバイス。
【請求項２２】
ワイヤレス通信ネットワーク内で通信するための、変調された超音波信号と無線対応電磁信号の両方を介して信号交換をサポートする装置であって、前記装置が、
プロセッサと、
前記プロセッサと電子通信するメモリと、
前記メモリに記憶された命令とを含み、前記命令が、前記装置に、
前記装置に関する識別情報を含む第1の変調された超音波信号を送信するステップと、
前記第1の変調された超音波信号に応答して1つまたは複数の他のデバイスから1つまたは複数の第2の変調された超音波信号を受信するステップであって、前記1つまたは複数の第2の変調された超音波信号の各々は、前記1つまたは複数の他のデバイスの各々に関する識別情報を含む、ステップと、
前記1つまたは複数の第2の変調された超音波信号に少なくとも部分的に基づいて前記1つまたは複数の他のデバイスのうち1つを選択するステップと、
前記1つまたは複数の他のデバイスのうち選択されたデバイスとの接続を確立するための無線対応ピアツーピアプロトコルの電磁信号を利用して、前記1つまたは複数の他のデバイスのうち選択されたデバイスで登録プロセスを実施するステップであって、前記登録プロセスは、前記1つまたは複数の他のデバイスのうち選択されたデバイスに関する識別情報に少なくとも部分的に基づく、ステップと、
を実施させるために前記プロセッサによって実行可能である
装置。
【請求項２３】
前記命令が、前記装置に、
前記1つまたは複数の第2の変調された超音波信号に少なくとも部分的に基づいて前記１つまたは複数の他のデバイスのうちの1つの位置を決定させる
ために前記プロセッサによって実行可能である、請求項22に記載の装置。
【請求項２４】
前記命令が、前記装置に、
前記決定された位置に少なくとも部分的に基づいて、前記１つまたは複数の他のデバイスのうちの1つを選択させる
ために前記プロセッサによって実行可能である、請求項23に記載の装置。
【請求項２５】
前記命令が、前記装置に、
第3の変調された超音波信号に少なくとも部分的に基づいて、前記1つまたは複数の他のデバイスのうち前記選択されたデバイスで前記登録プロセスを実施させる
ために前記プロセッサによって実行可能である、請求項22に記載の装置。
【請求項２６】
前記命令が、前記装置に、
前記第3の変調された超音波信号を介して個人識別番号(PIN)コードを交換させる
ために前記プロセッサによって実行可能である、請求項25に記載の装置。
【請求項２７】
前記命令が、前記装置に、
送信機を1つまたは複数のデバイスに向けさせる
ために前記プロセッサによって実行可能である、請求項22に記載の装置。
【請求項２８】
前記命令が、前記装置に、
音波信号と超音波信号の送信をサポートする広帯域スピーカを介して前記第1の変調された超音波信号を送信させる
ために前記プロセッサによって実行可能である、請求項22に記載の装置。
【請求項２９】
前記命令が、前記装置に、
音波信号と超音波信号の受信をサポートする広帯域マイクロフォンを介して前記1つまたは複数の第2の変調された超音波信号を受信させる
ために前記プロセッサによって実行可能である、請求項22に記載の装置。
【請求項３０】
前記命令が、前記装置に、
専用の超音波変換器を介して前記第1の変調された超音波信号を送信させる
ために前記プロセッサによって実行可能である、請求項22に記載の装置。
【請求項３１】
前記無線対応ピアツーピアプロトコルの電磁信号を利用して、前記1つまたは複数の他のデバイスのうち選択されたデバイスで前記登録プロセスを実施するための命令は、前記装置に、前記1つまたは複数の他のデバイスのうち選択されたデバイスで前記デバイスを認証するかまたは前記選択されたデバイスと前記デバイスを関連付けるために、前記デバイスに関する識別情報、前記1つまたは複数の他のデバイスのうち選択されたデバイスに関する識別情報、または前記デバイスにより送信された追加の識別情報を、第3の変調された超音波信号を介して交換させる
ために前記プロセッサによって実行可能である、請求項22に記載の装置。
【請求項３２】
前記命令が、前記装置に、
前記1つまたは複数の他のデバイスのうち選択されたデバイスとの接続のための証明書を確立するために前記無線対応ピアツーピアプロトコルのハンドシェイク動作を実施させるために前記プロセッサによって実行可能であり、前記ハンドシェイク動作は、前記第3の変調された超音波信号を介して前記デバイスにより送信された、前記デバイスに関する前記識別情報、前記1つまたは複数の他のデバイスのうち選択されたデバイスに関する前記識別情報、または前記デバイスにより送信された追加の識別情報に少なくとも部分的に基づく、請求項22に記載の装置。
【請求項３３】
変調された超音波信号と無線対応電磁信号の両方を介して信号交換をサポートするデバイスに、
前記デバイスに関する識別情報を含む第1の変調された超音波信号を送信するステップと、
前記第1の変調された超音波信号に応答して1つまたは複数の他のデバイスから1つまたは複数の第2の変調された超音波信号を受信するステップであって、前記1つまたは複数の第2の変調された超音波信号の各々は、前記1つまたは複数の他のデバイスの各々に関する識別情報を含む、ステップと、
前記1つまたは複数の第2の変調された超音波信号に少なくとも部分的に基づいて前記1つまたは複数の他のデバイスのうち1つを選択するステップと、
前記1つまたは複数の他のデバイスのうち選択されたデバイスとの接続を確立するための無線対応ピアツーピアプロトコルの電磁信号を利用して、前記1つまたは複数の他のデバイスのうち選択されたデバイスで登録プロセスを実施するステップであって、前記登録プロセスは、前記1つまたは複数の他のデバイスのうち選択されたデバイスに関する識別情報に少なくとも部分的に基づく、ステップと、
を実施させるためにプロセッサにより実行可能である命令を含むコードを格納した、コンピュータ可読記憶媒体。
【請求項３４】
前記命令が、
前記1つまたは複数の第2の変調された超音波信号に少なくとも部分的に基づいて前記１つまたは複数の他のデバイスのうちの1つの位置を前記デバイスに決定させる
ために前記プロセッサによって実行可能である、請求項33に記載のコンピュータ可読記憶媒体。
【請求項３５】
前記命令が、
前記決定された位置に少なくとも部分的に基づいて、前記１つまたは複数の他のデバイスのうちの1つを前記デバイスに選択させる
ために前記プロセッサによって実行可能である、請求項34に記載のコンピュータ可読記憶媒体。
【請求項３６】
前記命令が、
第3の変調された超音波信号に少なくとも部分的に基づいて、前記1つまたは複数の他のデバイスのうち前記選択されたデバイスで前記登録プロセスを前記デバイスに実施させる
ために前記プロセッサによって実行可能である、請求項33に記載のコンピュータ可読記憶媒体。
【請求項３７】
前記命令が、
前記第3の変調された超音波信号を介して個人識別番号(PIN)コードを前記デバイスに交換させる
ために前記プロセッサによって実行可能である、請求項36に記載のコンピュータ可読記憶媒体。
【請求項３８】
前記命令が、
前記デバイスに、送信機を1つまたは複数のデバイスに向けさせる
ために前記プロセッサによって実行可能である、請求項33に記載のコンピュータ可読記憶媒体。
【請求項３９】
前記命令が、
前記デバイスに、音波信号と超音波信号の送信をサポートする広帯域スピーカを介して前記第1の変調された超音波信号を送信させる
ために前記プロセッサによって実行可能である、請求項33に記載のコンピュータ可読記憶媒体。
【請求項４０】
前記命令が、
前記デバイスに、音波信号と超音波信号の受信をサポートする広帯域マイクロフォンを介して前記1つまたは複数の第2の変調された超音波信号を受信させる
ために前記プロセッサによって実行可能である、請求項33に記載のコンピュータ可読記憶媒体。